(57)【要約】【課題】高温の飲料から立ち上る湯気により、本体の内外部に結露の発生を抑制する。【解決手段】ディスペンサ本体１８の正面から後方に向けて凹設した収容領域２７に載置された飲料容器４２の後部に、上方に向かうに従って前方側に迫り出す曲面に形成した曲面部２４を設ける。そして、前記収容領域２７に載置した飲料容器４２に、該飲料容器４２の譲歩云うに配置した注出ノズル３５を介して前記ディスペンサ本体１８の内部に収納したタンク２５内の高温の飲料を供給する。このとき、前記飲料容器４２に供給された飲料から立上がる湯気を、前記曲面部２４に沿って上部前方へ逃出させるようにした。【選択図】  図１
2004248914.tif 000002
【特許請求の範囲】
【請求項１】
ディスペンサ本体（１８）の内部に収納され、高温の飲料を貯留するタンク（２５）と、前記ディスペンサ本体（１８）の正面から後方に向けて凹設され、飲料容器（４２）の載置がなされる収容領域（２７）と、前記ディスペンサ本体（１８）に設けられて前記収容領域（２７）に載置した飲料容器（４２）の上方に臨み、前記タンク（２５）内の飲料を供給する注出ノズル（３５）とからなる飲料ディスペンサにおいて、
前記収容領域（２７）の後部に、上方に向かうに従って前方側に迫り出す曲面を形成する曲面部（２４）を設け、
前記注出ノズル（３５）から飲料容器（４２）に注出した飲料から立上がる湯気を、前記曲面部（２４）に沿って上部前方へ逃出させるよう構成した
ことを特徴とする飲料ディスペンサ。
【請求項２】
前記曲面部（２４）は、その後部下方から上方に向かうに従って後方側へ湾曲した後、反転して前方側へ迫り出すよう湾曲するよう形成される請求項１記載の飲料ディスペンサ。
【請求項３】
前記曲面部（２４）は、前記収容領域（２７）の背面を画成する請求項１または２記載の飲料ディスペンサ。
【請求項４】
前記曲面部（２４）の上部に、これと連続して上方に向かうに従って前側に迫り出すよう第２曲面部（３６ｃ）を段状に形成し、これにより前記湯気が前記曲面部（２４）に沿って上部前方へ逃出するのを更に促進するようにした請求項１〜３の何れかに記載の飲料ディスペンサ。
【請求項５】
前記ディスペンサ本体（１８）は、前記タンク（２５）を収容する筐体（２１）と、該筐体（２１）の前面を被覆する前面パネル（２２）と、該前面パネル（２２）の前側に配設されて下方に前記収容領域（２７）の上方を画成するカバー体（３６）とから構成される請求項１〜４の何れかに記載の飲料ディスペンサ。
【請求項６】
前記前面パネル（２２）と前記カバー体（３６）との間に画成される収納部（３７）に、前記注出ノズル（３５）に連通して該注出ノズル（３５）に濃縮原料を供給し得る原料容器（４０）が配設され、当該注出ノズル（３５）において前記タンク（２５）から供給される高温の飲料と濃縮原料とを混合した後に飲料容器（４２）に注出するようにした請求項５記載の飲料ディスペンサ。
【発明の詳細な説明】
【０００１】
【発明の属する技術分野】
本発明は、ディスペンサ本体の内部に配設したタンク内に貯留した高温の飲料を、注出ノズルを介して注出する飲料ディスペンサに関するものである。
【０００２】
【従来の技術】
図６は、従来の温飲料を供給する飲料ディスペンサ１の構成図である。この飲料ディスペンサ１を構成する筐体２は、上部筐体２ａと下部筐体２ｂとからなり、上部筐体２ａは下部筐体２ｂより所定長さだけ前方に張り出している。また、前記上部筐体２ａの内部前側には、原料パック４を収納する原料保管室５が設けられると共に、前記下部筐体２ｂには、ヒータで水を所定温度に加熱した温水を貯留するタンク３が配設されている。そして、前記原料保管室５は、上部筐体２ａの前面に設けられたステンレス製の前面パネル５ａによって開閉可能に閉塞され、該原料保管室５を開放することで原料パック４の交換を行なうよう構成される。なお、前記原料保管室５の下部に、注出機構部６を設けてある。
【０００３】
前記注出機構部６は、前記原料パック４から所要量の原液を注出すると共に、前記タンク３から導入した温水により原液を希釈した後に、稀釈飲料をカップや碗等の飲料容器１２に注ぐものである（図７参照）。すなわち、図６に示す如く、原料パック４の出口４ａにナット７ａを介して連結されたジョイント７の先端部７ｂが、前記注出機構部６の上端部に設けた原料接続口８に挿入されて、原料パック４と注出機構部６が接続される。また、注出機構部６の下端には、稀釈飲料を飲料容器１２に注ぐ注出ノズル９が設けられると共に、該注出機構部６の中央部分には、原料パック４の原液を吸い込んで絞り出す容積式ポンプ１０が設けられる。なお、前記下部筐体２ｂの前面下部に受け皿１３が前面に張り出すように設けられ、該受け皿１３に飲料容器１２を載置することで、前記注出ノズル９の下方に飲料容器１２が臨むようになっている。
【０００４】
前記タンク３の前側にはポンプモータ１１が設けられ、飲料注出時に起動されてタンク３内の温水等を注出機構部６の注出ノズル９に供給するよう構成されている。また、前記原料保管室５の背面部には電装箱１４が設けられ、当該飲料ディスペンサ１の電装品（ポンプ１０の駆動モータや、ポンプモータ１１等）の駆動電源部や制御回路等が収納してある。更に、下部筐体２ｂの前面所定位置には、注出回数を計数するカウンタ１５が設けられている（例えば、特許文献１参照）。
【０００５】
【特許文献１】
特開平８−２３９１７８号公報
【０００６】
【発明が解決しようとする課題】
前述の飲料ディスペンサ１では、前記注出ノズル９から飲料容器１２に高温の稀釈飲料が供給されると、該飲料から立ち上る湯気は、前記下部筐体２ｂの前面から上部筐体２ａにおける張出部下面を伝って前方に流れる。この場合において、下部筐体２ｂの前面と上部筐体２ａの張出部下面とは略直交しているため、前記湯気が張出部下面に沿って前方に流れずに滞り、該張出部下面で結露を生じ、この結露水が飲料容器１２内に滴下する畏れがあった。
【０００７】
また、前記原料パック４や注出機構部６を配設した原料保管室５の前側に、開閉可能な前面パネル５ａを配設して該原料保管室５の前面開口を閉塞するよう構成されている。ところで、原料パック４を交換等した際に、前記前面パネル５ａと原料保管室５の開口端縁との間に異物が挟まったり、経年的に前面パネル５ａ等に歪みが生じたりすると、原料保管室５と前面パネル５ａとの間に僅かな隙間が形成されることになる（図７参照）。このため、前記湯気が原料保管室５と前面パネル５ａとの間の隙間を介して原料保管室５の内部に進入し、該原料保管室５の内壁面等に結露を生ずる。また、前記注出機構部６やその他の電気部品等に結露が生ずると、該注出機構部６等の故障を招来する畏れもある。
【０００８】
【発明の目的】
本発明は、前述した従来の技術に内在している前記課題に鑑み、これを好適に解決するべく提案されたものであって、高温の飲料から立ち上る湯気により、本体の内外部に結露を生ずるのを抑制し得る飲料ディスペンサを提供することを目的とする。
【０００９】
【課題を解決するための手段】
前記課題を克服し、所期の目的を好適に達成するため、本発明に係る飲料ディスペンサは、
ディスペンサ本体の内部に収納され、高温の飲料を貯留するタンクと、前記ディスペンサ本体の正面から後方に向けて凹設され、飲料容器の載置がなされる収容領域と、前記ディスペンサ本体に設けられて前記収容領域に載置した飲料容器の上方に臨み、前記タンク内の飲料を供給する注出ノズルとからなる飲料ディスペンサにおいて、
前記収容領域の後部に、上方に向かうに従って前方側に迫り出す曲面を形成する曲面部を設け、
前記注出ノズルから飲料容器に注出した飲料から立上がる湯気を、前記曲面部に沿って上部前方へ逃出させるよう構成したことを特徴とする。
【００１０】
【発明の実施の形態】
次に、本発明に係る飲料ディスペンサにつき、好適な実施例を挙げて、添付図面を参照しながら、以下詳細に説明する。
【００１１】
図１に示すように、実施例に係る飲料ディスペンサ２０は、前面に開口する箱状に形成された筐体２１と、該筐体２１の前面開口を閉塞する略矩形板状の前面パネル２２と、該前面パネル２２の前側に回動可能に配設された開閉カバー３６とから本体（ディスペンサ本体）１８が構成され、該開閉カバー３６は後側（前面パネル２２側）が開口する略箱状に形成されている。そして、前記開閉カバー３６と前面パネル２２（筐体２１）との間に画成される収納部３７に、濃縮原料を貯留する透明な原料パック（原料容器）４０や、該パック４０から濃縮原料を注出する注出機構部３０が配設されている。また、前記筐体２１の内部には、図示しない外部水源に連通して希釈水（飲料）を貯留する断熱構造のタンク２５を収納してある。なお、前記タンク２５には電熱ヒータ（図示せず）が配設されており、該電熱ヒータに通電することでタンク２５内の希釈水を所定温度（例えば略９０℃）に加熱するようになっている。なお、前記収納部３７内における前記注出機構部３０を挟む左右の位置に、希釈水の温度や注出量等の各種情報を表示する表示部や設定スイッチ等を備えた表示パネル２９ｂおよび電源スイッチ２９ａ等の電気部品が夫々配置されている（図２参照）。
【００１２】
前記注出機構部３０は、原料パック４０に接続されるジョイント３１と、該ジョイント３１に連結される容積式ポンプ３４と、該ポンプ３４の下方に連結されると共に接続管２６およびポンプモータ（図示せず）を介して前記タンク２５に連通接続される注出ノズル３５とから構成される。すなわち、前記注出ノズル３５は、前記原料パック４０およびタンク２５の夫々に連通するようになっている。また、前記筐体２１の底部前側には、前記濃縮原料と希釈水を混合して得られる高温の稀釈飲料が供給される碗やコップ等の飲料容器４２を載置し得る受け皿２１ａが、前記注出ノズル３５の下方に臨む位置に取り付けてある。すなわち、前記飲料ディスペンサ２０の本体１８は、前記前面パネル２２、開閉カバー３６および受け皿２１ａにより、飲料容器４２を載置する収容領域２７が該本体１８の前面（開閉カバー３６の前面）より後方に退避するよう画成されている。
【００１３】
そして、前記飲料ディスペンサ２０では、前面パネル２２の後述する注出スイッチ３８を操作して前記容積式ポンプ３４が駆動されると、前記原料パック４０内の濃縮原料がジョイント３１を介して該ポンプ３４の内部に吸い出されて前記注出ノズル３５に供給されると共に、前記タンク２５から接続管２６を介して高温の希釈水が注出ノズル３５に供給され、該注出ノズル３５において濃縮原料と希釈水とを混合した高温の稀釈飲料が、前記受け皿２１ａに載置した飲料容器４２に注出されるようになっている。なお、前記筐体２１の内部には、その前面開口近傍に、前記タンク２５内の電熱ヒータや、該タンク２５から希釈水を前記注出機構部３０に送出するポンプモータ、その他飲料ディスペンサ２０を構成する各部材の通電制御を行なう電装箱２１ｂを収納してある。
【００１４】
前記前面パネル２２の上端部にはヒンジ２２ａが取り付けられており、前記開閉カバー３６の上端部が該ヒンジ２２ａを介して前面パネル２２に枢支されている（図１参照）。すなわち、前記ヒンジ２２ａを支点として前記開閉カバー３６を前方へ回動することで、前記前面パネル２２の前面（注出機構部３０や原料パック４０）が開放される。前記開閉カバー３６の上下方向の寸法は、該カバー３６を閉成した際に、前記受け皿２１ａに載置した飲料容器４２が開閉カバー３６に接触しないように設定してある。
【００１５】
前記開閉カバー３６の下部３６ｂには、図４に示すように、下方から上方に向かうにつれて前側に迫り出す凹状の曲面形状の案内部（第２曲面部）３６ｃが形成され、飲料容器４２を載置するする収容領域２７（後述）の上方を画成している。また、図１〜図４に示すように、前記開閉カバー３６における前記注出ノズル３５と対応する位置には、該注出ノズル３５が収容されるカバー部４４が形成されている。そして、このカバー部４４には、後方に開放する切欠部４４ａが形成されており、該開閉カバー３６を閉成した際に前記注出ノズル３５の一部が切欠部４４ａに挿通されると共にカバー部４４内に収容され、注出ノズル３５の一部は開閉カバー３６の下部３６ｂの下方に延出するよう構成されている。また、図３に示すように、前記注出機構部３０には、前記開閉カバー３６を閉成した状態で、前記下部３６ｂの上方に臨む位置に、少なくとも前記切欠部４４ａの左右幅寸法より長い範囲に亘り前面パネル２２と注出ノズル３５との間を密閉する遮蔽部材２８が配設されており、該カバー３６を閉成した際に、前記収納部３７と外部とを遮断するようになっている。
【００１６】
また、図１または図３に示すように、前記前面パネル２２の前面には、前記開閉カバー３６の開放端部に対応する部位に、後方に凹んだ段差部２２ｃが形成されており、該開閉カバー３６を閉成した状態で、当該カバー３６の左右両側部および下部３６ｂの開放端部が、該前面パネル２２における段差部２２ｃから立ち上がった立上がり部２２ｄで囲繞されるようになっている（図２参照）。なお、前記開閉カバー３６を閉成した際に該開閉カバー３６における原料パック４０の前側に臨む位置には、透明樹脂等で形成された透視可能な確認窓３６ａが設けられており、該カバー３６を開放することなく原料パック４０を視認し得るよう構成される。また、前記開閉カバー３６の略中央位置には、前記注出機構部３０を駆動させる注出スイッチ３８が配設してあり、該注出スイッチ３８を操作することで、前述の如く、前記原料パック４０内の濃縮原料および前記タンク２５内の高温の稀釈水を注出ノズル３５に供給し、該ノズル３５で混合した稀釈飲料を前記飲料容器４２に注出するようになっている。なお、前記開閉カバー３６の左右両側部の上方部位には、左右方向に突出する突出部（図示せず）が形成されており、該開閉カバー３６を閉成した際に各突出部が前記立上がり部２２ｄの対応する内側面に係合することで開閉カバー３６は閉成位置に保持される。
【００１７】
前記前面パネル２２の前面には、閉成された前記開閉カバー３６と前記受け皿２１ａとの間に臨む部位（収容領域２７の後部）に、後方に凹んだ断面略円弧状の下方凹部（曲面部）２４が形成されており、収容領域２７の背面を画成している。この下方凹部２４は、前記受け皿２１ａに飲料容器４２を載置した際に、該飲料容器４２の一部を収容する逃げ部として機能し、当該飲料容器４２の一部と上下に重なって上方側に臨む部位は、上方に向かうにつれて前方に迫り出すよう変位し、後方に突出する曲面形状となっている。すなわち、前記飲料容器４２に高温の稀釈飲料を注出した際に立ち上る湯気は、前記下方凹部２４の曲面に沿って上部前方に逃出するよう構成してある。また、図４に示すように、前記下方凹部２４の上方に、該下方凹部２４と連続する段状に前記案内部３６ｃが形成されている。そして、前記前面パネル２２の前面（立上がり部２２ｄの前面）に湯気が到達すると、この湯気は前記開閉カバー３６の案内部３６ｃに沿ってカバー前面に円滑に上部前方に逃出するようになっている。また、前記案内部３６ｃの下端縁の厚み寸法は、前記立上がり部２２ｄの高さ寸法と略同一に設定されており（図４参照）、開閉カバー３６を閉成した際に該立上がり部２２ｄの前面と案内部３６ｄにおける湾曲面の最下方部とが略同一平面上に位置して、前記下方凹部２４から上昇する湯気が、該案内面３６ｄに円滑に移行するよう構成される。
【００１８】
【実施例の作用】
次に、前述した実施例に係る飲料ディスペンサの作用について説明する。
【００１９】
本実施例に係る飲料ディスペンサ２０で、濃縮原料を希釈水で希釈した稀釈飲料を前記飲料容器４２に注出するに際し、該飲料容器４２の後方側の一部が前記前面パネル２２の下方凹部２４に被覆される状態で収容領域２７を画成する受け皿２１ａに載置した後、前記開閉カバー３６に設けた注出スイッチ３８をオンする。これにより、電装箱２１ｂ内の制御回路が各ポンプのモータ駆動部に夫々所要の注出駆動指令を出力し、この指令を受けた各モータ駆動部は、夫々対応するモータに対して直流電力を印加し、各モータを必要量だけ回転させる。
【００２０】
前記注出機構部３０の容積式ポンプ３４が回転すると、該ポンプ３４は一回の必要量だけ原料パック４０から濃縮原料を注出し、これを注出ノズル３５に吐出する。このとき、同時に前記タンク２３に接続されたポンプモータにより、該タンク２５から高温の希釈水が飲料容器４２の一杯分だけ吸引されると共に、該希釈水が接続管２６を介して前記注出ノズル３５に吐出されて、該注出ノズル３５内で濃縮原料を希釈水で希釈した稀釈飲料が前記飲料容器４２に注出される。
【００２１】
ここで、前記飲料容器４２内に高温の稀釈飲料が注出されると、該飲料容器４２から湯気が立ち上る（図１または図４参照）。このとき、前記飲料容器４２における前記下方凹部２４で覆われていない前側から立ち上る湯気は、前記開閉カバー３６の前面に沿って上昇して外方に拡散される。また、前記飲料容器４２における後側から立ち上る湯気は、該飲料容器４２の上方に臨む前面パネル２２の下方凹部２４の曲面に沿って上部前方に逃出された後に、前記開閉カバー３６の案内部３６ｃに沿って上昇して収容領域２７の上部前方に逃出されて湯気の「逃出がより促進されるようになる。すなわち、高温の稀釈飲料が供給される前記飲料容器４２の一部を被覆する下方凹部２４の曲面に沿って湯気を上部前方に逃出させるようにしたことで、該湯気を円滑に開閉カバー３６の前方に流すことができ、該下方凹部２４や案内部３６ｃに結露が生じ難くなる。従って、前記下方凹部２４や案内部３６ｃに付着した結露水が、飲料容器４２内に滴下するのを防止し得る。また、前記下方凹部２４に結露が生じた場合でも、該下方凹部２４を上方に向かうにつれて前方に迫り出し、後方に突出する曲面形状に形成したことにより、結露水は該下方凹部２４の曲面を伝って流下するようになるため、結露水の飲料容器４２内への滴下が防止される。
【００２２】
更に、前記下方凹部２４を断面略円弧状に形成することで、上昇移動する湯気を該下方凹部２４（本体１８）の外方により円滑に拡散させ得るので、前記収納部３７内への湯気の進入を抑制することが可能となる。すなわち、収納部３７に湯気が進入することによる開閉カバー３６の確認窓３６ａの曇りが防止し得るので、作業者が原料パック４０内の原料残量を常に明確に認識し得ると共に、前記注出機構部３０や表示パネル２９ｂおよびスイッチ２９ａに結露水が付着して誤動作を招来することもなく、飲料ディスペンサ２０を良好な状態で運転することができる。更に、前記結露水による汚れ等が生じないから、収納部３７を清掃する負担軽減を図り得る。
【００２３】
なお、前記下方凹部２４に沿って上昇した湯気の一部は、図４に示すように、前面パネル２２の立上がり部２２ｄに沿って上昇するようになる。ここで、前記開閉カバー３６の両側部および下部３６ｂを前記立上がり部２２ｄで囲繞するよう構成してあるので、該立上がり部２２ｄに沿って上昇した湯気が、該開閉カバー３６と前面パネル２２における段差部２２ｃとの間から収納部３７に進入し難くなるので、収納部３７内への湯気の進入をより一層抑制することができる。また、前記案内部３６ｃの下端縁の厚み寸法を、前記立上がり部２２ｄの高さ寸法と略同一に設定し、開閉カバー３６を閉成した際に該立上がり部２２ｄの前面と案内部３６ｄにおける湾曲面の最下方部との段差をなくしたので、前記下方凹部２４から上昇する湯気を、前記収納部３７内に侵入することなく案内面３６ｄに沿って円滑に上昇して拡散させ得る。更に、前記注出ノズル３５と前面パネル２２との間に遮蔽部材２８を配設して、該注出ノズル３５と前面パネル２２との間を密閉するよう構成してあるから、より確実に収納部３７への湯気の進入が防止される。
【００２４】
なお、前記開閉カバー３６に確認窓３６ａを設け、外部から収納部３７内を視認し得るようにしたから、作業者が容易に原料パック４０内の濃縮原料の残量を開閉カバー３６を開放することなく確認でき、原料パック４０の交換時期を容易に認識し得る。
【００２５】
【変更例】
飲料ディスペンサの構成としては、実施例のものに限られず、種々の変更が可能である。例えば、実施例の飲料ディスペンサでは、収容領域の後部に設けた曲面部として前面パネルに全体が凹面形状の下側凹部を形成し、高温の飲料を供給する容器を配置した際に、該下方凹部の上側の湾曲面で該容器の一部の上方を被覆して、容器から立ち上る湯気を上部前方に逃出させるようにしたが、図５に示すように、前面パネル２２における下方位置に形成した下方凹部５０の前記飲料容器４２の一部と上下に重なる上面のみを、後方から前方に向かうにつれて上方に変位する曲面形状の湾曲面（曲面部）５０ａとすることもできる。なお、図５において、前述した実施例と同一の部材については、同一の符号を付してある。
【００２６】
実施例では、前面パネルに上方に向かうに伴い前側に迫り出して後方に突出する曲面部を形成するようにしたが、該曲面部を別部材として形成して、該部材を収容領域に載置した飲料容器の後方に配置するよう構成することもできる。また、前記曲面部を凹面状に形成したが、これに限らず、上方に向かうに従って前方に迫り出す凹状に湾曲させるようにしてもよい。そして、前記ディスペンサ本体の下方位置に、飲料容器の収容領域を後方に退避するよう画成して飲料容器を収容したが、これに限らず、ディスペンサ本体の大きさに合わせて所要位置に画成すればよく、更に前記収容領域は少なくともディスペンサ本体の前面側に開口するよう画成すればよい。なお、前述した実施例では、濃縮原料を原料パックに貯留するようにしたが、その他箱体に貯留するよう構成することも可能である。また、高温の希釈水と濃縮原料とを混合するようにしたが、タンク内に貯留した高温の飲料だけを、容器に直接供給するよう構成、あるいは高温の飲料と冷却した飲料を選択的に供給し得るよう構成した飲料ディスペンサであってもよい。
【００２７】
【発明の効果】
以上に説明したように、本発明に係る飲料ディスペンサによれば、高温の飲料を容器に供給した際に立ち上る湯気を、該飲料容器の載置する収容領域の後部に設けた曲面部に沿って上部前方に逃出させるようにしたので、飲料容器の上方における結露の発生を防止し得ると共に、収納部内への湯気の進入を効果的に抑制し得る。また、前記曲面部に結露が生じた場合でも、結露水は該曲面部を伝って流下するため、結露水の飲料容器内への滴下が防止される。更に、飲料容器を収容する収容領域の上方を画成するディスペンサ本体に、上方に向かうにつれて前側に迫り出す曲面形状の第２曲面部を段状に形成することにより、より効率的に飲料容器の上方における結露の発生を防止することが可能となる。
【図面の簡単な説明】
【図１】本発明の実施例に係る飲料ディスペンサを示す側断面図である。
【図２】実施例に係る飲料ディスペンサを示す正面図である。
【図３】実施例に係る飲料ディスペンサの注出機構部を拡大して示し、高温の稀釈飲料を飲料容器に注出した際の湯気の流れを概略で示す側断面図である。
【図４】実施例に係る飲料ディスペンサを示す要部側断面図である。
【図５】飲料容器の一部を上方側で被覆する変更例に係る曲面部を示す側断面図である。
【図６】従来の技術に係る飲料ディスペンサを示す概略側断面図である。
【図７】従来の技術に係る飲料ディスペンサの注出機構部を示し、高温の飲料を飲料容器に注出した際の湯気の流れを概略で示す側断面図である。
【符号の説明】
１８  本体（ディスペンサ本体），２１  筐体，２２  前面パネル
２４  下方凹部（曲面部），２５  タンク，２７  収容領域，３５  注出ノズル
３６  開閉カバー（カバー体），３６ｃ  案内部（第２曲面部），３７  収納部
４０  原料パック（原料容器），４２  飲料容器，５０ａ  湾曲面（第２曲面部）
【図１】
2004248914.tif 000003
【図２】
2004248914.tif 000004
【図３】
2004248914.tif 000005
【図４】
2004248914.tif 000006
【図５】
2004248914.tif 000007
【図６】
2004248914.tif 000008
【図７】
2004248914.tif 000009